(57)【要約】【課題】  所定の模様を所定の部位に精度良く配置することができ、且つ模様の位置修正を迅速に行うことができる新規な吸収性物品の製造方法を提供する。【解決手段】  第１基材シート１を繰出し装置１１で連続的に繰出して搬送し、これとは別に第２基材シート２を連続的に繰出して搬送し、これら基材シート１，２を貼り合せ位置ｂで貼り合せて連続する積層体８を形成した後、該積層体ｃを切断位置ｃで一定長さＬに切断して個々の吸収性物品５を製造する。第１基材シート１には、模様６が吸収性物品の切断長さＬよりも短い印刷ピッチＰで印刷され、印刷ピッチＰの間隔でピッチ基準マーク７が配置されている。貼り合せ位置ｂの前には第１基材シート１の搬送速度を調整する調整手段１３が設けられ、該調整手段１３により、第１基材シート１のピッチ基準マーク７の位置を調整すると共に、第１基材シート１を伸縮させて両基材シート１，２を貼り合せ切断する際の印刷ピッチＰを吸収性物品の切断長さＬと一致させ、吸収性物品５の所定部位に模様６が位置するよう第１基材シート１の搬送速度を制御する。【選択図】  図３
2005080827.tif 000002
【特許請求の範囲】
【請求項１】
長尺状の第１基材シートを所定の繰出し位置から連続的に繰出して搬送し、これとは別に、長尺状の第２基材シートを連続的に繰出して搬送し、これら第１及び第２基材シートを所定の貼り合せ位置で貼り合せて連続する積層体を形成した後、所定の切断位置で前記連続する積層体を一定間隔で切断して個々の吸収性物品を製造する方法であって、
前記第１基材シートには、所定の模様が、前記吸収性物品の切断長さよりも短い印刷ピッチで印刷されており、
前記貼り合せ位置の前には、前記第１基材シートの搬送速度を調整する調整手段が設けられており、該調整手段において速度調整することにより、前記第１基材シートの模様の位置を調整すると共に、前記第１基材シートと前記第２基材シートを貼り合せて切断する際の前記模様の印刷ピッチを前記吸収性物品の切断長さと一致させ、前記吸収性物品の所定部位に前記所定の模様が位置するように制御することを特徴とする吸収性物品の製造方法。
【請求項２】
前記調整手段が前記貼り合せ位置の直近に設けられていることを特徴とする請求項１記載の吸収性物品の製造方法。
【請求項３】
前記第１基材シートが、予め別ラインにて前記所定の模様を印刷されたものであることを特徴とする請求項１または２記載の吸収性物品の製造方法。
【請求項４】
前記調整手段と前記貼り合せ位置の間に、前記第１基材シートの前記模様の印刷ピッチに対応して配されたピッチ基準マークを検出するマーク検出手段が配置されており、該マーク検出手段からの検出信号に基づき、前記調整手段により前記第１基材シートの搬送速度を制御することを特徴とする請求項１〜３のいずれか１項記載の吸収性物品の製造方法。
【請求項５】
前記第１基材シートには、前記模様の印刷ピッチに対応して、前記ピッチ基準マークが、前記模様とは別に印刷されていることを特徴とする請求項４記載の吸収性物品の製造方法。
【請求項６】
前記マーク検出手段により検出される前記第１基材シート搬送中の前記模様の位置と、前記吸収性物品の所定部位に前記所定の模様を配置するために予め決められた前記模様の位置との差を算出し、該算出値に基づき、前記調整手段により前記第１基材シートの搬送速度を加減速して、前記所定の模様を前記吸収性物品の所定部位に配置させることを特徴とする請求項４または５記載の吸収性物品の製造方法。
【請求項７】
前記調整手段が、回転速度を制御可能な少なくとも一つのロールからなることを特徴とする請求項１〜６のいずれか１項記載の吸収性物品の製造方法。
【請求項８】
前記調整手段が、回転速度を制御可能な少なくとも二つのロールからなり、それらロールを、前記第１基材シートに接着剤を塗布するための接着剤塗布手段の前後に配置し、それらロールの回転速度を加減速することで前記第１基材シートの搬送速度を加減速して、前記所定の模様を前記吸収性物品の所定部位に配置させることを特徴とする請求項１〜７のいずれか１項記載の吸収性物品の製造方法。
【請求項９】
前記第１基材シートの繰出し位置と前記調整手段の間に、前記第１基材シートの搬送途中のテンションを検出するテンション検出手段が配置されており、該テンション検出手段からの検出信号に基づき、前記繰出し位置からの第１基材シートの繰出し速度を制御することを特徴とする請求項１〜８のいずれか１項記載の吸収性物品の製造方法。
【請求項１０】
前記第２基材シートが吸収体を所定間隔毎に貼り付けたものであり、該吸収体が所定箇所に配されるよう、前記所定の切断位置で前記連続する積層体を一定間隔で切断して前記個々の吸収性物品を製造することを特徴とする請求項１〜９のいずれか１項記載の吸収性物品の製造方法。
【発明の詳細な説明】
【技術分野】
【０００１】
本発明は吸収性物品の製造方法に関し、詳しくは、所定の模様が所定部位に配置された吸収性物品を製造する方法に関するものである。
【背景技術】
【０００２】
従来、紙おむつなどの吸収性物品を製造する方法として、例えば特許文献１に記載されるように、液不透過性シートと吸収体形成用シートを貼り合せて連続する積層体を形成し、該積層体を一定間隔毎に切断して吸収性本体を得、該吸収性本体を外層シートの所定箇所に貼り付けて製品とする方法や、特許文献２に記載されるように、吸収体を一定間隔ごとに貼り付けた液透過性シートと、液不透過性シートを貼り合せて連続する積層体を形成し、該積層体を一定間隔毎に切断して製品とする方法が知られている。
【０００３】
液不透過性シートは吸収性物品の非肌当接面側に配されるもので、この液不透過性シートには、製品着用時に吸収体を着用者の所定箇所に位置させるための所定の模様が印刷されており、例えば紙おむつにおいては前記模様が後身頃に配置され、その模様が着用者の背面側に位置するよう着用することで、吸収体が所定箇所に位置して吸収漏れなどが起こることなく適正な使用がなされるようになっている。
【０００４】
すなわち、これら特許文献に記載の方法は、前記模様を、吸収性物品を製造する際に所定部位に配置しようとするもので、前記特許文献１では、連続部材（液不透過性シート）の切断長さよりも短いピッチで所定の模様を印刷し、該連続部材を伸張して繰り出すことで前記切断長さと印刷ピッチを一致させると共に、切断部材の位置に対し前記模様を配すべき位置と、搬送中の連続部材における模様の位置との差を演算し、該演算値に基づき、連続部材の繰り出し速度を制御して、前記模様が所定部位に位置するよう調整することが提案されている。
【０００５】
また、特許文献２では、一定間隔毎に図柄（模様）が印刷された第２の層（液不透過性シート）の搬送途中部位に選択的に圧力を加えて図柄の印刷ピッチを調整すると共に、該第２の層と、吸収体が一定間隔毎に貼り付けられた第１の層（液透過性シート）とを貼り合せた後に、吸収体の位置と図柄の位置をそれぞれセンサーで検出し、その検出信号に基づいて第２の層の搬送速度を調整することで、前記模様が所定部位に位置するよう調整することが提案されている。
【０００６】
【特許文献１】特開２００１−２９３８５号公報（図１参照）
【特許文献２】特表２００２−５１２５６６号公報（図５参照）
【発明の開示】
【発明が解決しようとする課題】
【０００７】
しかし、特許文献１の方法では、搬送中の連続部材における模様の位置を該連続部材の繰り出し直後に検出しており、該検出位置から、連続部材と吸収体形成用シートの貼り合せ位置までの距離が長くなり、連続部材のテンション変動により模様の位置が搬送途中でずれる虞れがある。また、連続部材の繰出し速度の調整により位置修正を実施し、切断部材の位置と搬送中の連続部材における模様の位置を検出し、その検出結果と前記模様が配されるべき位置との差を演算し、その演算結果に基づき連続部材の繰出し速度を調整するので、結果として模様の位置調整に時間がかかり、部材の調整ロスも多くなるという問題が考えられる。
【０００８】
一方、特許文献２の方法では、搬送中の第２の層における図柄の位置検出、該図柄の印刷ピッチの調整、該第２の層の搬送速度の調整を、第２の層の繰出し直後に行っているため、貼り合せ位置までの距離が長くなって図柄の位置が途中でずれる虞れがある。したがって、図柄の位置調整に時間がかかったり、調整のための部材のロスも発生し易いという問題が考えられる。また、印刷ピッチを調整するための複雑な加圧手段と、図柄の位置を修正するための搬送速度調整手段を別々に備え、マーク検出器の信号と貼り合せ後の吸収体と図柄の位置ずれを検出し、その結果に基づき印刷ピッチの調整と図柄の位置修正を個別に調整するので、該方法を実施するための装置構成が複雑になるという問題がある。
【０００９】
本発明はこのような従来事情に鑑みてなされたもので、その目的とする処は、前記した従来の方法による問題点を解消し、所定の模様を所定の部位に精度良く配置することができ、且つ模様の位置修正を迅速に行うことができ、しかも簡単な装置構成で実施可能な吸収性物品の製造方法を提供することにある。
【課題を解決するための手段】
【００１０】
上記目的を達成するために、本発明の請求項１は、長尺状の第１基材シートを所定の繰出し位置から連続的に繰出して搬送し、これとは別に、長尺状の第２基材シートを連続的に繰出して搬送し、これら第１及び第２基材シートを所定の貼り合せ位置で貼り合せて連続する積層体を形成した後、所定の切断位置で前記連続する積層体を一定間隔で切断して個々の吸収性物品を製造する方法であって、
前記第１基材シートには、所定の模様が、前記吸収性物品の切断長さよりも短い印刷ピッチで印刷されており、
前記貼り合せ位置の前には、前記第１基材シートの搬送速度を調整する調整手段が設けられており、該調整手段において速度調整することにより、前記第１基材シートの模様の位置を調整すると共に、前記第１基材シートと前記第２基材シートを貼り合せて切断する際の前記模様の印刷ピッチを前記吸収性物品の切断長さと一致させ、前記吸収性物品の所定部位に前記所定の模様が位置するように制御することを特徴とする。
本発明において第１基材シートは、少なくとも伸張性を有するシートであり、伸縮性を有するシートであることがより好ましい。伸縮性を有するシートの場合、前記調整手段の速度調整により、印刷ピッチの調整をより容易に行うことができる。
【００１１】
本発明の請求項２は、前記調整手段が前記貼り合せ位置の直近に設けられていることを特徴とする。
【００１２】
本発明の請求項３は、前記第１基材シートが、予め別ラインにて前記所定の模様を印刷されたものであることを特徴とする。
【００１３】
本発明の請求項４は、前記調整手段と前記貼り合せ位置の間に、前記第１基材シートの前記模様の印刷ピッチに対応して配されたピッチ基準マークを検出するマーク検出手段が配置されており、該マーク検出手段からの検出信号に基づき、前記調整手段により前記第１基材シートの搬送速度を制御することを特徴とする。
【００１４】
本発明の請求項５は、前記第１基材シートには、前記模様の印刷ピッチに対応して、前記ピッチ基準マークが、前記模様とは別に印刷されていることを特徴とする。
【００１５】
本発明の請求項６は、前記マーク検出手段により検出される前記第１基材シート搬送中の前記模様の位置と、前記吸収性物品の所定部位に前記所定の模様を配置するために予め決められた前記模様の位置との差を算出し、該算出値に基づき、前記調整手段により前記第１基材シートの搬送速度を加減速して、前記所定の模様を前記吸収性物品の所定部位に配置させることを特徴とする。
【００１６】
本発明の請求項７は、前記調整手段が、回転速度を制御可能な少なくとも一つのロールからなることを特徴とする。
【００１７】
本発明の請求項８は、前記調整手段が、回転速度を制御可能な少なくとも二つのロールからなり、それらロールを、前記第１基材シートに接着剤を塗布するための接着剤塗布手段の前後に配置し、それらロールの回転速度を加減速することで前記第１基材シートの搬送速度を加減速して、前記所定の模様を前記吸収性物品の所定部位に配置させることを特徴とする。
【００１８】
本発明の請求項９は、前記第１基材シートの繰出し位置と前記調整手段の間に、前記第１基材シートの搬送途中のテンションを検出するテンション検出手段が配置されており、該テンション検出手段からの検出信号に基づき、前記繰出し位置からの第１基材シートの繰出し速度を制御することを特徴とする。
【００１９】
本発明の請求項１０は、前記第２基材シートが吸収体を所定間隔毎に貼り付けたものであり、該吸収体が所定箇所に配されるよう、前記所定の切断位置で前記連続する積層体を一定間隔で切断して前記個々の吸収性物品を製造することを特徴とする。
【発明の効果】
【００２０】
本発明に係る吸収性物品の製造方法によれば、以下に記載されるような効果がある。
（請求項１）
第１基材シートに印刷された模様の印刷ピッチの調整と該印刷ピッチのずれの修正を、第１基材シートと第２基材シートの貼り合せ位置の前に設けた調整手段により行うので、前記模様の位置修正を、簡単な構成により精度良く迅速に行うことができる。また、吸収性物品の切断長さよりも短い一定ピッチで模様が印刷された第１基材シートを用い、該第１基材シートにテンションを掛けて所定のピッチに伸ばして位置調整を行うので、皺やたるみが生じることなく、吸収性物品を製造することができる。したがって、所定部位に模様が配置された吸収性物品を効率良く製造することが可能になる。
【００２１】
（請求項２）
第１及び第２基材シートの貼り合せ位置の直近に設けた調整手段により第１基材シートの搬送速度を調整するので、模様の位置修正をより精度良く迅速に行うことができると共に、調整ロスも少なくなる。よって、請求項１による前述の効果をより実効あるものとし得る。
【００２２】
（請求項３）
予め別ラインにて模様が印刷された第１基材シートを用いるので、前記模様の印刷手段が不要なコンパクトな構成で実施可能であり、汎用性の高い吸収性物品の製造方法として供することができる。
【００２３】
（請求項４）
搬送中の第１基材シートにおける模様の印刷ピッチ毎に配置されているピッチ基準マークをマーク検出手段で検出し、その検出信号に基づき調整手段による調整を行って前記模様の位置ずれを修正し、それにより前記模様の印刷ピッチの修正を行うことができるので、請求項１による前述の効果をより実効あるものとし得る。
【００２４】
（請求項５）
ピッチ基準マークが模様とは別に印刷されているので、マーク検出手段による検出をより高精度で行うことができる。よって、請求項１による前述の効果をより実効あるものとし得る。
【００２５】
（請求項６）
マーク検出手段により検出される第１基材シート搬送中の模様の位置と、吸収性物品の所定部位に模様を配置するために予め決められた模様の位置との差の算出値に基づき、調整手段による調整を行って前記模様の位置ずれを修正し、それにより前記模様の印刷ピッチを修正することができるので、請求項１による前述の効果をより実効あるものとし得る。
【００２６】
（請求項７）
回転速度を制御可能な少なくとも一つのロールにより調整手段を構成したので、複雑な加圧手段を用いて模様の印刷ピッチを調整するような場合に比べ構成が簡素化される。よって、請求項１による前述の効果をより実効あるものとし得る。
【００２７】
（請求項８）
調整手段が少なくとも二つのロールを有するので、第２基材シートとの貼り合せのためにホットメルトなどの接着剤を塗布手段により第１基材シートの搬送中に塗布する場合、一方のロールを該接着剤塗布位置の上流側に、他方のロールを下流側に配することで、接着剤が塗布された第１基材シートに対しても、請求項１による前述の効果を得ることができる。
【００２８】
（請求項９）
第１基材シートの搬送速度の制御に伴うテンションの変動を検出し、該検出結果に基づき繰出し速度を制御し第１基材シートのテンションを調整するので、第１基材シートに皺、たるみ、蛇行などが発生することを未然に防いで、請求項１による前述の効果をより実効あるものとし得る。
【００２９】
（請求項１０）
第１及び第２基材シートの間に吸収体が配され所定長さに切断される吸収性物品の所定箇所に模様を配することができる方法として好適に供することができる。
【発明を実施するための最良の形態】
【００３０】
以下、本発明に係る吸収性物品の製造方法について詳述する。
本発明に係る吸収性物品の製造方法は、長尺状で少なくとも伸張性を有し、好ましくは伸縮性を有する第１基材シートを所定の繰出し位置から連続的に繰出して搬送し、これとは別に、長尺状の第２基材シートを連続的に繰出して搬送し、これら第１及び第２基材シートを所定の貼り合せ位置で貼り合せて連続する積層体を形成した後、所定の切断位置で前記連続する積層体を一定間隔で切断して個々の吸収性物品を製造する方法であって、
前記第１基材シートには、所定の模様が、前記吸収性物品の切断長さよりも短い印刷ピッチで印刷されており、
前記貼り合せ位置の前には、前記第１基材シートの搬送速度を調整する調整手段が設けられており、該調整手段の速度調整により、前記第１基材シートの模様の位置を調整すると共に、前記第１基材シートを伸張（又は伸縮）させ、前記第１基材シートと前記第２基材シートを貼り合せて切断する際の前記模様の印刷ピッチを前記吸収性物品の切断長さと一致させ、前記吸収性物品の所定部位に前記所定の模様が位置するように制御することを特徴とするものである。
【００３１】
本発明において使用される第１基材シートは、長尺シート状であってわずかでも伸縮性があれば良く、例えば、ポリエステル、ポリプロピレン、その他の熱可塑性樹脂等を原料とした合成繊維、レーヨン、コットンなどの天然繊維などからなる不織布、ポリエチレンやポリプロピレンなどのフィルムなど用いることができ、異なる素材を２層以上重ねた複合シートでもかまわない。
特に、フィルム状の第１基材シートであると、模様の印刷が容易で、模様も鮮明となるので好ましい。通常、この種の吸収性物品の液不通過性シートとして使用されるポリエチレンフィルムが好ましく用いられ、一般的には炭酸カルシウムを含有する透湿性のポリエチレンフィルムが用いられる。
【００３２】
第１基材シートには一定の印刷ピッチＰをもって模様が印刷されており、該印刷ピッチＰは、第１基材シートと第２基材シートを貼り合せた後に切断される長さ、すなわち吸収性物品の切断長さＬよりも短くなっている。
ここで、印刷ピッチＰとは、繰出し位置にセットする前の無張力状態の第１基材シートにおける隣り合わせる模様間の印刷ピッチであり、また、吸収性物品の切断長さＬとは、切断直後の無張力状態の吸収性物品の長さである。
【００３３】
印刷ピッチＰが前記切断長さＬよりも長いと、模様の位置合せをするために第１基材シートの搬送速度を早くした際に該第１基材がたるんで蛇行や皺が入るため好ましくない。
また、印刷ピッチＰは、前記切断長さＬに対して、０．３％〜５％短いことが好ましい。
前記切断長さＬに対する印刷ピッチＰの短さの割合が０．３％未満では、模様の位置合せをするために第１基材シートの搬送速度を変動させた際、第１基材シートがたるむ虞れがあるため好ましくない。
前記切断長さＬに対する印刷ピッチＰの短さの割合が５％を越えると、第１基材シートの収縮力が強すぎた場合、吸収性物品に形成された後に皺が入ったり変形する虞れがあるため好ましくない。
【００３４】
第１基材シートに一定の印刷ピッチＰをもって印刷される夫々の模様は、同一の図柄でも良いし、異なる複数種類の図柄が規則的に若しくは不規則的に配列するよう印刷されたものでも良い。
複数種類の図柄を印刷されている方が、多数の吸収性物品を包装袋に封入した際、各吸収性物品に夫々異なった図柄が施され、製品としてバラエティーに富むため好ましい。
【００３５】
前記印刷ピッチＰは、吸収性物品一組に対応する前記模様のピッチであり、各模様毎に前記印刷ピッチＰの間隔でピッチの基準となる検知可能部分（模様の特定部分）を決めておくことが好ましい。さらに、前記模様に対応して、前記印刷ピッチＰの間隔でピッチの基準となる検知可能なマークを、模様とは別に印刷しておくことが好ましい。
本発明において、ピッチ基準マークは、前記印刷ピッチＰの基準となる模様の特定部分と、模様とは別に印刷されたマークの双方を含むものである。
【００３６】
前記模様やピッチ基準マークは、第１基材シートに予め印刷されていることが好ましいが、吸収性物品の製造工程上で印刷することもできる。
但し、吸収性物品の製造工程上で印刷を施す場合、印刷手段が別途必要になり装置が大型化し、大きな設備スペースが必要になると共に、異なる模様やピッチ基準マークを印刷することが困難になり汎用性が悪いため、予め模様やピッチ基準マークが印刷された第１基材シートを用いる方が好ましい。
第１基材に対する模様やピッチ基準マークの印刷方法としては、この種の吸収性物品において一般的に用いられるものであれば良く、例えば、グラビア印刷、フレキソ印刷、インクジェット印刷などをあげることができる。
【００３７】
模様やピッチ基準マークが予め印刷された第１基材シートを用いる場合、前記印刷ピッチＰが０．１％〜５％伸張された状態で該第１基材シートをロール状に巻き取り、このロール状物を繰出し位置にセットし、繰出し装置で繰出すようにすることが好ましい。
該ロール状物に巻き取る際の印刷ピッチＰの伸張割合が０．１％未満では、第１基材シートの巻取りが安定せず、蛇行して巻かれる虞れがあるため好ましくない、また、前記印刷ピッチＰの伸張割合が５％を越えると、該ロール状物を吸収性物品の製造に供するまでに長期間保管した場合、伸張状態で長期間保たれるため第１基材シートが伸びきってしまう虞れがあり、模様を位置合せするための制御がし難くなるため好ましくない。
前記ロール状物に巻き取る際の印刷ピッチＰの伸張割合は、０．３％〜３％であることがより好ましい。
【００３８】
本発明において、第１基材シートは前記したようにロール状物に巻き取られ、繰出し位置にセットして繰出し装置により連続的に繰出して搬送され、第２基材シートとの貼り合せ位置の手前で、その搬送速度を調整する調整手段を経て、第２基材シートとの貼り合せ位置に至る。
【００３９】
第２基材シートは、第１基材シートとは別の繰出し位置にセットされ、別の繰出し装置により連続的に繰出して搬送され、前記貼り合せ位置に至る。
本発明において、第２基材シートは特に限定されるものではないが、例えば、この種の吸収性物品に用いられる吸収体形成用シートや、予め所定長さに切断されたパルプと吸収性樹脂からなる吸収体を所定間隔毎に貼り合わせた液通過性の表面材からなる長尺状のシートを挙げることができる。該長尺状シートには、弾性体とシートからなるギャザーなどが配置されていても良い。
また、第２基材シートとして複数の素材が積層されたシートを用いることもでき、それら複数の素材の貼り合せや、前記液通過性表面材への吸収体の貼り合せは、第１基材シートと第２基材シートの貼り合せ位置で同時に行うようにしても良い。
【００４０】
第１基材シートと第２基材シートは、貼り合せ位置で貼り合されて連続する積層体となり、該積層体は切断位置に搬送され、所望の切断手段により、吸収性物品一個分の長さ（吸収性物品の長さＬ）で切断される。これにより得られた吸収性物品は、後の吸収性物品組立工程へと搬送される。
【００４１】
第１基材シートの繰出し位置から貼り合せ位置までの間には、該第１基材シートにおける各模様の印刷ピッチＰ毎に配置されたピッチ基準マーク（模様の特定の位置または模様とは別に配したマーク）を検出するマーク検出手段が、少なくとも一箇所配置され、該マーク検出手段からの検出信号に基づき調整手段が作動して、第１基材シートの搬送速度が制御される。
【００４２】
マーク検出手段は特に限定されるものではなく、前記各模様やピッチ基準マークを検出すると検出信号を発するイメージセンサーやカラーセンサーなど、一般的に使われるマーク検出器が利用でき、印刷の有り無しや印刷色の変化を読み取れれば良いが、カラーセンサーが安価であるため好ましく用いることができる。
【００４３】
マーク検出手段は、貼り合せ位置と調整手段の間で、且つ貼り合せ位置の近傍にあることが好ましい。
マーク検出手段が第１基材シートの搬送経路における調整手段の前（上流側）にあると、調整手段により制御される前の印刷ピッチＰが検出され、模様の位置ずれが正確に修正されたか否かが検出されないので好ましくない。
マーク検出手段が第１基材シートの搬送経路における調整手段の後（下流側）にあると、調整手段により制御された後の印刷ピッチＰが検出され、模様の位置ずれが正確に修正されたか否かが検出できるため好ましい。
【００４４】
調整手段は、第１基材シートの搬送経路における前記貼り合せ位置の前（上流側）で、且つ該貼り合せ位置近傍にあることが好ましい。詳しくは、調整手段と貼り合せ位置の間の距離が０．１ｍ〜１０ｍであることが好ましく、更に好ましくは５ｍ以下の直近であることが良い。更に、貼り合せ位置直前の駆動ロールが回転速度を調整できる調整手段であることが好ましい。
すなわち、第１基材シートに印刷された各模様の位置を吸収性物品の所定部位に合せるべく、調整手段で第１基材シートの搬送速度を調整して前記模様の位置を修正するので、調整手段と貼り合せ位置の間の距離が短いほど好ましく、該距離が長いと、第１基材シートの伸縮などにより修正した模様の位置が変動し安定しない虞れがあるため好ましくない。
但し、第１基材シートを巻き取った前記ロール状物の大きさなどから、調整手段と貼り合せ位置間の距離を０．１ｍ未満にする事は、実質的に困難である。
【００４５】
調整手段としては、回転速度が加減速可能である少なくとも１つのロールを備えた手段が例示でき、前記マーク検出手段からの検出信号に基づき、該ロールの回転速度をサーボモーターなどにより変化させ、第１基材シートの搬送速度を加減速すると共に該第１基材シートを伸縮させて、前記ピッチ基準マークの切断基準位置（第１及び第２基材シートを貼り合せ所定長さに切断する際の基準位置）に対する位置を調整することにより、前記第１及び第２基材シートを貼り合せ切断する際の前記模様の位置を調整すると共に、前記印刷ピッチＰを前記吸収性物品の切断長さと一致させ、前記吸収性物品の所定部位に前記所定の模様が位置するよう構成する。
【００４６】
すなわち、ピッチ基準マークの位置がずれて模様を早く送る必要がある場合は、調整手段によって第１基材シートの搬送速度を速くし、ピッチ基準マークの位置を修正すると共に、調整手段と貼り合せ位置の間で第１基材シートを収縮させ印刷ピッチＰを短くして、そのずれを修正し得るよう構成されている。
また、ピッチ基準マークの位置がずれて模様を遅らせる必要がある場合は、調整手段によって第１基材シートの搬送速度を遅くし、ピッチ基準マークの位置を修正すると共に、調整手段と貼り合せ位置の間で第１基材シートを伸張させ印刷ピッチＰを長くして、そのずれを修正し得るよう構成されている。
また、印刷ピッチＰは切断長さより予め短く設定してあるので、調整手段は、貼り合せ位置で第１及び第２基材シートを貼り合せた積層体を切断位置へ搬送する搬送速度に対し、第１基材シートを低速で送り出すことで、第１基材シートを伸張させて該第１基材シートと前記第２基材シートを貼り合せ切断する際の前記模様の印刷ピッチＰを前記吸収性物品の切断長さと一致させ得るよう構成されている。
【００４７】
前記したピッチ基準マークのずれの修正は、マーク検出手段により検出された第１基材シート搬送中の模様の位置と、吸収性物品の所定部位に該模様を配置するために予め決められた模様の位置との差を算出し、該算出値に基づき、調整手段のロールの回転速度を加減速することにより実施するのが好ましい。
【００４８】
すなわち、第１基材シートの搬送中に、ピッチ基準マーク（模様の特定部分又は模様とは別に印刷されたマーク）がマーク検出手段で検出されるタイミングが、予め決められたタイミング（吸収性物品の所定部位に該模様を配置するためにピッチ基準マークがマーク検出手段で検出されるべきタイミング）よりも遅い場合、第１基材シートの搬送速度を速くすることで、ピッチ基準マークの位置を修正すると共に、調整手段と貼り合せ位置の間で第１基材シートが収縮し印刷ピッチＰが短くなるよう修正され、吸収性物品の所定部位に模様が配置される。
【００４９】
第１基材シートの搬送中に、ピッチ基準マークがマーク検出手段で検出されるタイミングが、予め決められたタイミングよりも早い場合、第１基材シートの搬送速度を遅くすることで、ピッチ基準マークの位置を修正すると共に、調整手段と貼り合せ位置の間で第１基材シートが伸張し印刷ピッチＰが長くなるよう修正され、吸収性物品の所定部位に模様が配置される。
【００５０】
前記予め決められたタイミングは、吸収性物品を所定長さＬに切断する際に該吸収性物品の所定部位（切断位置から所定寸法離間した位置）にピッチ基準マークが配置されるようなタイミングを基準として設定することができ、例えば、吸収性物品を所定長さＬに切断するための切断手段の位置（例えば、切断カッターの角度の検出手段）などを基準の信号として利用することができる。
また、印刷ピッチの距離を算出し、演算により前記予め決められたタイミングの設定に用いることも可能で、算出された印刷ピッチの値を調整プログラムに利用することもできる。
【００５１】
調整手段は、２本以上のロールで構成されることが望ましい。該ロールの回転速度の加減速が第１基材シートの搬送速度を正確に加減速し得るようにするため、少なくとも１本のロールは、第１基材シートを挟んでスリップしないように加圧するニップロールを備えることが好ましい。
【００５２】
通常、第１基材シートはホットメルトなどの接着剤を塗布された後第２基材シートと貼り合されるが、接着剤を塗布した後はニップすることができない。よって、調整手段と貼り合せ位置の距離を短くするには、接着剤の塗布後に、前記ニップロールを備えない調整用のロールがあると良い。
すなわち、最も好ましい調整手段は、第１基材シートの繰出し位置側に、ニップロールを備えた搬送速度調整用の駆動ロールが配置され、貼り合せ位置側に、ニップロールの無い搬送速度調整用駆動ロールが配置され、これら駆動ロールの間に接着剤塗布手段が配置されたものである。
【００５３】
調整手段を構成する複数本のロールは、すべて同速回転するものでも良いし、段階的に回転速度が変化するものでも構わない。
【００５４】
第１基材シートの繰出し位置と調整手段の間には、ダンサーロール等によるテンション検出手段を設け、該テンション検出手段からの検出信号に基づき、第１基材シートの搬送中のテンションが一定になる様、第１基材シートの繰出し速度を調整することが好ましい。
尚、第１基材シートの搬送中のテンションを制御しない場合、該テンションの変動により、繰出し時の第１基材シートにおける模様の印刷ピッチが大きく変動する虞れがあるため、前記テンションを所定の値に制御することが好ましく、該テンション制御のために第１基材シートの繰出し速度を調整可能とすることが好ましい。
【００５５】
本発明において、第１及び第２基材シートを貼り合せてなる積層体は、前身頃と後身頃を別途固定した上で一定ピッチで切断することで展開型の紙おむつとしたり、或いは、一定ピッチで切断した上で外装部材と一体化してパンツ型の紙おむつとすることができる。
【実施例】
【００５６】
以下、図１〜図４を参照して、本発明に係る吸収性物品の製造方法をより具体的に説明するが、本発明は該実施例に限定されるものではない。
【００５７】
図１、図２には第１基材シート１に印刷される模様パターンの一例を示す。
第１基材シート１は液不通過性シートとしてのポリエチレンフィルムからなる長尺状で伸張性を有するシートであり、吸収性物品の非肌接触面側である裏面シートを構成する。
図１に示す第１基材シート１には、前述した印刷ピッチＰをもって同一の模様６が印刷されると共に、その印刷ピッチＰを検出するためのピッチ基準マーク７が、各模様６毎にに対応して、模様６にかからないよう前記印刷ピッチＰをもって印刷されている。
印刷ピッチ６は、無張力状態の第１基材シート１における隣り合わせる模様６のピッチ、及びこの模様６に対応して設けられたピッチ基準マーク７間のピッチであり、吸収性物品５の切断長さＬよりも短くなっている。
図２に示す第１基材シート１は、前記印刷ピッチＰをもって、異なる二種類の模様６が交互に位置するよう印刷したものである。それ以外の構成は図１に示す第１基材シート１と同様のため、重複する説明は省略する。
本発明では、図１、図２に示すいずれの第１基材シート１を用いても良いし、異なる複数種の模様が前記印刷ピッチＰをもって規則的に又は不規則的に位置するよう印刷された第１基材シート１を用いることもできる。
【００５８】
第２基材シート２は、別途所定長さに切断された吸収体３を、所定間隔毎に、液通過性シート４に配置して形成された連続体であり、液通過性シート４は、吸収性物品の肌接触面側である表面シートを構成する（図３、図４参照）。
【００５９】
図３には、本発明に係る吸収性物品の製造方法を実施する装置の模式図を示す。
この装置は、前記印刷ピッチＰが０．１％〜５％伸張された状態で第１基材シート１を巻き取ったロール状物１０を、繰出し位置ａにセットして繰出し装置１１で繰出すようにすると共に、繰出された第１基材シート１が、テンション検出手段としてのダンサーロール１２、調整手段１３の搬送速度調整用の駆動ロール１４、ピッチ基準マーク７を検出するマーク検出手段としてのマーク検出器１５などを経て貼り合せ位置ｂに至り、該貼り合せ位置ｂにて、別の繰出し位置から繰出された第２基材シート２と前記第１基材シート１を貼り合せて連続する積層体８を形成した後、該積層体８を次工程になる切断位置ｃに搬送し、該切断位置ｃで積層体８を一定間隔で切断して個々の吸収性物品５を製造するようになっている。
【００６０】
貼り合せ位置ｂには上下一対のベルトコンベヤ１６、１７が設置され、第１基材シート１と第２基材シート２を貼り合せて連続する積層体８を形成し、該積層体８を切断位置ｃに搬送するようになっている。
【００６１】
貼り合せ位置ｂの手前には、前記上下のベルトコンベヤ１６、１７間に吸収体３を所定速度で送り込むベルトコンベヤ１８が設置され、所定間隔毎に吸収体３を備えた第２基材シート２が貼り合せ位置ｂに供給されるようになっている。
【００６２】
前記駆動ロール１４はニップロール１４’を備えており、前記積層体８を切断位置ｃへ搬送する搬送速度に対し、第１基材シート１の速度を調整できるように構成されている。また、印刷ピッチＰが吸収性物品の切断長さＬより短く設定された第１基材シート１を、前記搬送速度より低速で貼り合せ位置ｂへ送り出すことで、第１基材シート１を伸張させて第２基材シート２と貼り合せ切断する際の前記模様６の印刷ピッチＰを、吸収性物品５の切断長さＬと一致させることができるように構成されている。
【００６３】
また、駆動ロール１４は、マーク検出器１５によるピッチ基準マーク７の検出信号に基づきその回転速度が加減速され、吸収性物品５に対する模様６の位置がずれた場合、第１基材シート１の搬送速度が加減速され、吸収性物品５におけるピッチ基準マーク７の位置を修正することができるように構成されている。
【００６４】
切断位置ｃには、前記カッターロールの切断カッターの角度を検出する検出器２１が設けられ、該検出器２１で検出した切断カッターの位置検出信号を基準とし、予め決められたタイミング（吸収性物品５の所定部位に模様６を配置するためにピッチ基準マーク７がマーク検出器１５で検出されるべきタイミング）を設定し、ピッチ基準マーク７がマーク検出器１５で検出されたタイミングが、その予め決められたタイミングより遅い又は早い場合、第１基材シート１の搬送速度が加減速され、模様６の位置ずれ（吸収性物品５におけるピッチ基準マーク７の位置ずれ）を修正して、吸収性物品５の所定部位に模様６が配されるようになっている。
【００６５】
駆動ロール１４の加減速により生じた第１基材シート１のテンションの変動はダンサーロール１２で検知され、その検出信号に基づき、繰出し装置１１の駆動ロール１９の回転速度が加減速され、第１基材シート１のテンションを所定値に調整し得るようになっている。
【００６６】
このような構成になる図示例の装置によれば、吸収体３を所定間隔毎に備えた第２基材シート２は、所定の一定速度で搬送され、貼り合せ位置ｂで第１基材シート１と貼り合せた後、切断手段２０により、吸収体３が所定箇所に配されるよう、所定の位置で所定長さＬをもって切断される。第２基材シートの切断位置の調整は、切断手段２０により所定の一定速度で積層体８を切断しつつ、吸収体３の供給タイミングを調整する方法等により実施することができる。
また、第１基材シート１は、繰出し装置１１、駆動ロール１４により、印刷ピッチＰが伸張された状態で貼り合せ位置ｂに供給され、第２基材シート２に貼り合される。
【００６７】
検出器２１が検出した切断カッターの位置検出信号と、マーク検出器１５が検出したピッチ基準マーク７の検出信号のタイミングがずれた場合、駆動ロール１４が加減速されて第１基材シート１の搬送速度が調整され、模様６の位置ずれを修正して吸収性物品５の所定部位に模様６が配される。
また、前記加減速により生じた第１基材シート１のテンション変動は、ダンサーロール１２からの検出信号に基づき駆動ロール１９の加減速により調整され、テンションが所定値に保たれる。
【００６８】
このようにして搬送速度とテンションが適時に調整されながら搬送される第１基材シート１と、これとは別に搬送される第２基材シートとは、その後の切断長さＬと模様６の印刷ピッチＰが一致した状態で貼り合され、切断手段２０で所定の長さＬに切断され、個々の吸収性物品５となる。
得られた吸収性物品５には、所定部位に模様６が配されており、ベルトコンベヤ２２で別の組立工程に送られ、紙おむつなどの製品に組み立てられる。
【００６９】
図４には、前述した装置における調整手段１３が２本の駆動ロール１４ａ、１４ｂで構成されると共に、両駆動ロール１４ａ、１４ｂの間に、第１基材シート１への接着剤塗布手段としての接着剤塗布装置２３が配設された例を示す。
第１基材シート１の繰出し位置ａ側に配置される駆動ロール１４ａはニップロール１４ｃを有し、貼り合せ位置ｂ側に配置される駆動ロール１４ｂはニップロールの無いロールであり、これら駆動ロール１４ａ、１４ｂの間に接着剤塗布装置２３を配置することで、第２基材シートとの貼り合せのためにホットメルトなどの接着剤を塗布された第１基材シート１に対しても、前述したように模様６の位置ずれを修正して、吸収性物品５の所定部位に模様６が配されるようになっている。
それ以外の構成および作動は図３に示す例と同様のため、重複する説明は省略する。
【００７０】
以上、本発明の実施形態について詳述したが、本発明に係る吸収性物品の製造方法は上述した実施形態に限定されるものではなく、特許請求の範囲の各請求項に記載された技術的思想の範疇において種々の変更が可能であることは言うまでも無い。
【産業上の利用可能性】
【００７１】
本発明は、紙おむつなどの吸収性物品の所定の部位に所定の模様を配置する際の製造方法として有効であり、簡単な設備で効率良く模様の位置調整が可能である。
また、本発明の製造方法によって製造される吸収性物品は、一定位置に所定の模様が配置されるため、所定の模様が吸収性物品の前後の目安となる。更に、文字により前後の表示や製品の表示などをする場合にも有効に用いることができる。
【図面の簡単な説明】
【００７２】
【図１】本発明で用いる第１基材シートの印刷模様パターンの一例を示す平面図。
【図２】本発明で用いる第１基材シートの印刷模様パターンの他例を示す平面図。
【図３】本発明に係る吸収性物品の製造方法の実施形態の一例を示す模式図。
【図４】本発明に係る吸収性物品の製造方法の実施形態の他例を示す模式図。
【符号の説明】
【００７３】
１：第１基材シート
２：第２基材シート
３：吸収体
４：液通過性シート
５：吸収性物品
６：模様
７：ピッチ基準マーク
８：積層体
１０：ロール状物（第１基材シート）
１１：繰出し装置
１２：ダンサーロール（テンション検出手段）
１３：調整手段
１４、１４ａ、１４ｂ：駆動ロール（調整手段）
１５：マーク検出器（マーク検出手段）
２０：切断手段
２３：接着剤塗布装置（接着剤塗布手段）
ａ：繰出し位置
ｂ：貼り合せ位置
ｃ：切断位置
Ｐ：印刷ピッチ
Ｌ：吸収性物品の切断長さ
【図１】
2005080827.tif 000003
【図２】
2005080827.tif 000004
【図３】
2005080827.tif 000005
【図４】
2005080827.tif 000006